(57)【要約】【課題】布製品に着脱自在に取り付けられる表示体を、使用している乳幼児との関係をより深めたものとすることにより、布製品に対する親の思い入れをより深めることができ、また、親だけでなく、成長した乳幼児が、より深く強い愛着を持つことができる、乳幼児用布製品を提供する。【解決手段】乳幼児用布団カバー(A)は、布団カバー本体(1)と、布団カバー本体(1)の所要箇所に設けられている表示体取付部(10)に着脱自在に取り付けられている表示体(2)を備えている。表示体取付部(10)には、ボタン(11)が設けられている。表示体(2)は、乳幼児用布団カバー(A)を使用する乳幼児の写真をもとに印刷した写真表示部(21)を有し、布団カバー本体(1)に設けられているボタン(11)と対となるボタンホール(20)を有しており、布団カバー本体(1)に着脱自在である。【選択図】図１
2011015903.tif 000002
【特許請求の範囲】
【請求項１】
乳幼児用布製品であって、
所要の形態を有する布製品本体(1)と、
布製品本体(1)に着脱が自在な表示体(2)と、
を備えており、
前記布製品本体(1)には、本体側取付要素(11)が設けられており、
前記表示体(2)には、布製品を使用する乳幼児の写真を印刷した写真表示部(21)と、前記本体側取付要素(11)と協働して着脱ができる表示体側取付要素(20)が設けられている、
乳幼児用布製品。
【請求項２】
布製品本体(1)が布団カバーである、
請求項１記載の乳幼児用布製品。
【請求項３】
表示体(2)が布製である、
請求項１または２いずれか１項記載の乳幼児用布製品。
【請求項４】
請求項１ないし３いずれか１項記載の乳幼児用布製品の製造方法であって、
乳幼児用布製品のユーザ側から送られた、布製品を使用する乳幼児の写真または写真データをもとに製造メーカー側が表示体(2)を作製し、作製された表示体(2)は、表示体(2)を受け取ったユーザによって布製品本体(1)に取り付けられる、
乳幼児用布製品の製造方法。
【発明の詳細な説明】
【技術分野】
【０００１】
本発明は、乳幼児用布製品及びその製造方法に関するものである。更に詳しくは、布製品に着脱自在に取り付けられる表示体を、使用している乳幼児との関係をより深めたものとすることにより、布製品に対する親の思い入れをより深めることができ、また、親だけでなく、成長した乳幼児が、より深く強い愛着を持つことができる乳幼児用布製品及びその製造方法に関する。
【背景技術】
【０００２】
各種乳幼児用の布製品、例えば布団、布団カバー、よだれかけ、衣類または布製おもちゃ等を購入する際に、刺繍等によって名入れをすることが従来から行われている。このように名入れをした乳幼児用の布製品は、特に乳幼児の親にとっては、使用している間の多くの様々な思い出が重なり、子供の成長と共に思い入れが深くなって愛着がわいてくるものである。
【０００３】
また、使用者の愛着心を高めるようにした布製品としては、例えば特許文献１に開示されている単布製品がある。この単布製品は、タオル等にボタンホールなどの係止部を形成し、一方、ぬいぐるみ等の立体的装飾体にボタンなどの取付部材を付設し、取付部材を係止部へ着脱自在に取り付け、これにより立体的装飾体を単布製品に固定する構造である。
【先行技術文献】
【特許文献】
【０００４】
【特許文献１】特開２００３−２９００７１
【発明の概要】
【発明が解決しようとする課題】
【０００５】
前記従来の布製品には、次のような課題があった。
まず、例えば名入れをした布団カバー等の布製品については、前記のような効果がある程度は期待できるけれども、特定の乳幼児との関係を深めるためには、名前の文字だけでは視覚的に中途半端である感は否めない。
【０００６】
また、ぬいぐるみ等の立体的装飾体を単布製品に着脱自在に取り付けたものは、仮に、例えば乳幼児用の布団カバー等の布製品にその構造を用いたとしても、ぬいぐるみ等の立体的装飾体が、使用する特定の乳幼児に特に関係があるわけではないので、乳幼児や親の愛着心が高まる効果があるかどうかについては、あまり期待できない。
【０００７】
（本発明の目的）
本発明は、乳幼児用布製品に着脱自在に取り付けられる表示体を、使用している乳幼児との関係をより深めたものとすることにより、布製品に対する親の思い入れをより深めることができ、また、親だけでなく、成長した乳幼児が、より深く強い愛着を持つことができる、乳幼児用布製品及びその製造方法を提供することを目的とする。
【課題を解決するための手段】
【０００８】
上記課題を解決するために本発明が講じた手段は次のとおりである。
本発明は、
乳幼児用布製品であって、
所要の形態を有する布製品本体と、
布製品本体に着脱が自在な表示体と、
を備えており、
前記布製品本体には、本体側取付要素が所要箇所に設けられており、
前記表示体には、布製品を使用する乳幼児の写真を印刷した写真表示部と、前記本体側取付要素と協働して着脱ができる表示体側取付要素が設けられている、
乳幼児用布製品である。
【０００９】
本発明は、
布製品本体を布団カバーとすることができる。
【００１０】
本発明は、
表示体を布製とすることができる。
【００１１】
本発明は、
前記乳幼児用布製品の製造方法であって、
乳幼児用布製品のユーザ側から送られた、布製品を使用する乳幼児の写真または写真データをもとに製造メーカー側が表示体を作製し、作製された表示体は、表示体を受け取ったユーザによって布製品本体に取り付けられる、
乳幼児用布製品の製造方法である。
【００１２】
本発明にいう「布製品」の用語は、例えば布団、布団カバー、よだれかけ、衣類または布製おもちゃ等を含むものであるが、これらに限定されるものではない。
本発明にいう「表示体」としては、布製のシートの他、例えば紙製や合成樹脂製のシート等が採用できるが、これらに限定されるものではない。
【００１３】
また、本発明にいう「写真表示部」は、表示体が布製である場合は、例えば印刷や染色等により乳幼児の写真を表したものとなり、表示体が紙製や合成樹脂製のシートである場合は、例えば印刷により乳幼児の写真を表したものとなるが、写真を表す方法はこれらに限定されるものではない。
【００１４】
本発明にいう「本体側取付要素と表示体側取付要素」としては、例えばその双方が括り紐であるもの、また一方がボタンで他方がボタンホール（またはループ）であるもの、あるいは一方がホックの雄で他方が雌であるもの等があげられるが、これらに限定されるものではない。
【００１５】
（作用）
本発明に係る乳幼児用布製品の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１６】
乳幼児用布製品は、布製品に乳幼児の写真をもとに印刷した写真表示部を有する表示体を取り付けることができる。これにより、布製品を使用する際には、乳幼児の親は常に写真表示部を目にすることになるので、長く使用するのに伴い思い入れが深まり、より深く強い愛着を持つことができるようになることが期待できる。
【００１７】
また、親だけでなく、乳幼児が成長して、表示体の写真表示部の写真が自分の写真であることを認識できるようになれば、親とのコミュニケーションの身近な題材となり、親子の親密で楽しいコミュニケーションを図ることができる。
【発明の効果】
【００１８】
（ａ）本発明に係る乳幼児用布製品によれば、布製品に、この布製品を使用する乳幼児の写真をもとに印刷した写真表示部を有する表示体を取り付けることができる。これにより、布製品を使用する際には、乳幼児の親は常に写真表示部を目にすることになるので、長く使用するのに伴い思い入れが深まり、より深く強い愛着を持つことができるようになることが期待できる。
また、親だけでなく、乳幼児が成長して、表示体の写真表示部の写真が自分の写真であることを認識できるようになれば、親とのコミュニケーションの身近な題材となり、親子の親密で楽しいコミュニケーションを図ることができる利点もある。
【００１９】
（ｂ）本発明に係る乳幼児用布製品の製造方法によれば、表示体をユーザ側へ送る際、製造メーカーの新製品の情報や、特別販売の企画情報を掲載したカタログ等を同封して送ることができるので、製造メーカー側としてはユーザと直接かつ長期にわたり深く繋がっていくことによって、ビジネスチャンスをより大きなものとすることができるメリットがある。
【図面の簡単な説明】
【００２０】
【図１】本発明に係る乳幼児用布団カバーの一実施の形態を示す要部平面図。
【図２】表示体の取り付け構造を示す分解斜視説明図。
【図３】乳幼児用布団カバーを掛け布団に被せた状態を示す斜視図。
【発明を実施するための形態】
【実施例】
【００２１】
本発明を図面に示した実施の形態に基づき詳細に説明する。
【００２２】
乳幼児用布団カバーＡは、掛け布団用であり、布製の布団カバー本体１を備えている。布団カバー本体１の表側には、各種飾りや模様と共に、表示体取付部１０が二箇所に設けられている。各表示体取付部１０は、布団カバー本体１の長手方向一端寄り（使用者の頭部側寄り）の幅方向両側に設けられている。
【００２３】
各表示体取付部１０には、本体側取付要素でありそれぞれカラフルで色が異なるボタン１１が四箇所に取り付けられている。なお、表示体取付部１０を設ける箇所は、本実施の形態のように二箇所に限定するものではなく、一箇所または三箇所以上でもよく、さらには設ける場所についても、前記位置に限定するものではない。
【００２４】
各表示体取付部１０には、表示体２が着脱自在である。表示体２は布製で、正方形の木綿布を二枚重ねて外周部を縫製し一体化した構造である。また、表示体２の四隅部には、前記ボタン１１を掛止するための表示体側取付要素であるボタンホール２０が形成されている。
【００２５】
表示体２の表側には、ほぼ全面に写真表示部２１が設けられている。写真表示部２１は、乳幼児用布団カバーＡを使用する乳幼児の写真をもとにして、耐水性のインクを使用して顔写真を印刷したものである。写真表示部２１には、乳幼児の名前と生年月日を表した名入れ部２２が表示されている。
なお、乳幼児用布団カバーＡを洗うときは、表示体２を布団カバー本体１から取り外すことができるので、写真表示部２１は耐水性でないインクで印刷することもできる。
【００２６】
（作用）
図１ないし図３を参照して乳幼児用布団カバーＡの作用を説明する。
乳幼児用布団カバーＡは、図３に示すように掛け布団（図では見えない）に被せて使用される。乳幼児用布団カバーＡは、布団カバー本体１に乳幼児の写真をもとに作製した写真表示部２１を有する表示体２を取り付けることができる。
【００２７】
なお、表示体２は、乳幼児の成長に伴い、別の写真を印刷したものに付け替えていくことができる。または、あらかじめ表示体取付部１０を多数設けておき、例えば数ヶ月毎に新しい写真を印刷した表示体２を増やしていくこともできる。
【００２８】
これにより、乳幼児用布団カバーＡを使用する際には、乳幼児の親は常に自分の子が写った写真表示部２１を目にすることになるので、長く使用するのに伴い思い入れが深まり、より深く強い愛着を持つことができるようになる。
【００２９】
また、乳幼児が成長して、例えば２歳くらいになると、表示体２の写真表示部２１の写真が自分の写真であることを認識できるようになる。また、このころになると、簡単な会話ができるようになり、親とのコミュニケーションを活発に行うようになる。そして、この表示体２の写真表示部２１は、コミュニケーションのための身近な題材となり、親子の間で親密で楽しいコミュニケーションを図ることができる。
【００３０】
なお、乳幼児用布団カバーＡの製造は、次のような方法で行われる。
まず、ユーザ（使用者：通常は乳幼児の親）が、乳幼児用布団カバーＡを使用する乳幼児の写真を携帯電話やデジタルカメラで撮影し、この写真データ（デジタルデータ）を携帯電話やパーソナルコンピュータの電子メールで製造メーカー側へ送る。また、写真は印画紙に焼いたもの（印画したもの）を送ることもできる。
【００３１】
写真または写真データを受け取った製造メーカーは、これらをもとに、写真表示部２１を印刷した表示体２を作製する。そして、製造メーカーは表示体２を有償または無償で郵送や宅配便等によりユーザ側へ送る。ユーザは、受け取った新しい表示体２を布団カバー本体１に取り付ける。
【００３２】
この方法によれば、製造メーカーが表示体２をユーザ側へ送る際、製造メーカーの新製品の情報や、特別販売の企画情報を掲載したカタログ等を同封して送ることができる。これにより、製造メーカー側としては、ユーザ側と直接かつ長期にわたり深く繋がっていくことによって、ビジネスチャンスをより大きなものとすることができる。
【００３３】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【符号の説明】
【００３４】
Ａ  乳幼児用布団カバー
１  布団カバー本体
１０  表示体取付部
１１  ボタン
２  表示体
２０  ボタンホール
２１  写真表示部
２２  名入れ部
【図１】
2011015903.tif 000003
【図２】
2011015903.tif 000004
【図３】
2011015903.tif 000005